(57)【要約】【課題】モータから外部に突出する電源端子に力が加わっても、モータの整流子とブラシとの接触状態に影響を与えない新たな電源端子の接続構造を提供する。【解決手段】ブラシホルダに装填されるブラシへの電力を供給する電源端子を支持するモータ電源端子接続部品をブラシホルダとは別体に形成して分離させ、個別にモータのハウジングに取り付け可能とすることにより、ブラシホルダの位置、しいては、整流子に対するブラシの摺接状態を変えてしまう力がモータ電源端子接続部品からブラシホルダまで伝わらないようにした。【選択図】図６
2010183821.tif 000002
【特許請求の範囲】
【請求項１】
モータのハウジング内部に電力を伝達するために前記モータのハウジングの外部に設けられた電源電力供給端子と電気的に連結するようにした外部電源接続端子と、
前記外部電源接続端子を保持する不導電性の端子保持体と、からなり、
前記外部電源接続端子は、整流子に押圧されるブラシへの電力を伝達するための可撓性を有する導電体に接続され、
前記端子保持体は、前記外部電源接続端子に加わる力が前記ブラシに実質的に伝わらないように、前記ブラシを摺動可能に保持するためのブラシホルダと物理的に別体で形成され、少なくとも一部が当該ブラシホルダに形成された空隙に配設されるように前記ハウジングに係止される、モータ電源端子接続部品。
【請求項２】
前記外部電源接続端子は、モータのハウジングの外部から内部へと延びる少なくとも２つの導電性プレートである、請求項１に記載のモータ電源端子接続部品。
【請求項３】
前記外部電源接続端子と前記導電体との間に直列に接続されたチョークコイルを含む、請求項１又は２に記載のモータ電源端子接続部品。
【請求項４】
前記外部電源接続端子の異なった電位間に接続されるコンデンサを含む、請求項１乃至３のいずれかに記載のモータ電源端子接続部品。
【請求項５】
請求項１乃至４のいずれかに記載の前記モータ電源端子接続部品を有するモータ。
【請求項６】
モータの整流子に電力を伝達するブラシを摺動可能に保持するためのモータ内部に配設されるブラシホルダであって、
前記整流子の方向にブラシを摺動して整流子と当該ブラシとを摺接するために前記ブラシを収容して所定の方向に案内するためのブラシガイド部と、
モータのハウジングにブラシホルダを固定するための係止部と、からなり、
前記ブラシホルダは、前記モータの回転軸が貫通する開口部と、外部電源からの電力をモータ内部へ伝達するために前記モータのハウジングの外部に設けられた電源電力供給端子と電気的に連結するようにした外部電源接続端子を保持する不導電性の端子保持体から分離するための空隙を有し、当該外部電源接続端子に加わる力が前記ブラシに実質的に伝わらないように、当該ブラシホルダとは物理的に別体で形成されてモータのハウジングに係止された前記端子保持体の一部を前記空隙に配置するようにした、ブラシホルダ。
【請求項７】
請求項６に記載の前記ブラシホルダを有するモータ。
【発明の詳細な説明】
【技術分野】
【０００１】
本発明は、モータの電源端子及びブラシのホルダの構造に関する。
【背景技術】
【０００２】
ブラシを使用したモータには、回転子の回転軸に取り付けられた整流子に当接するようにブラシを保持して案内するブラシホルダが知られている。この既知のブラシホルダは、そのブラシの振動を抑えるために、例えばホルダの外周縁部を弾性体を介して溝に係合させるなどして、ハウジング内に保持させようとするものである（例えば、特許文献１乃至３を参照）。
【先行技術文献】
【特許文献】
【０００３】
【特許文献１】実開昭６２−１０７５４２号公報
【特許文献２】特開２００１−１６８１７号公報
【特許文献３】特開２００１−２６８８７７号公報
【特許文献４】特開２００１−２１８４２８号公報
【発明の概要】
【発明が解決しようとする課題】
【０００４】
そのブラシホルダには、ブラシへの電力を供給するために、そのハウジング内から外部へと延びる比較的硬く剛性のある金属プレートからなるモータ側の外部電源接続端子（特許文献１の図７に記載の案内片５１，５２、特許文献２の図１のターミナル９１、特許文献３のモータ側外部電源接続端子１１）が取り付けられている。
【０００５】
また、自動車に使用されるブロアーモータのように、振動する環境においてもしっかりと保持され、かつ騒音等が極力抑えられるように、そのモータを内部に保持して固定するモータホルダが利用されることが少なくない（例えば、特許文献３）。このモータホルダには、モータから突出した接続端子が挿入可能な外部電源からの電源ケーブルに接続された電源電力供給端子であるホルダ側端子（端子受部）が設けられ、モータをホルダに収納すると同時にモータ側の接続端子とホルダ側の端子受部とがしっかりと接続され、外部電源から供給された電力を受給して、その接続した端子間を通してモータ内部のブラシへと供給されるようにしている。
【０００６】
モータ側の接続端子は、その設置作業のし易さやコスト的な観点、さらには端子が不用意にホルダ側端子受部から抜けないように、比較的硬い金属プレートをホルダ側端子受部まで長く延ばすことで、モータホルダにモータを組み込むと同時に、モータ側の接続端子がホルダ側端子受部にしっかりと挿入嵌合され、これによって、その電気的な接続が信頼性高く確保される。
【０００７】
一方、モータを製造して出荷するには、モータをテスト用のモータホルダに装着して、そのテスト用のモータホルダのホルダ側端子受部に挿入されたモータ側の接続端子を介して電力受給が行われてエージングテスト等の各種テストを行い、エージングテスト等での長期の慣らし運転により、整流子とブラシとの接触を安定させる。
【０００８】
しかし、慣らし運転が終わると、そのモータをモータホルダから取り外してモータ側の接続端子をモータホルダのホルダ側端子受部から抜くことが必要である。このときのモータ側接続端子とホルダ側端子受部とはしっかり嵌合しているために、抜く力の負荷は必ずしも軽いものではなく、さらに抜く方向によっては、モータ側接続端子に大きな力が加わることとなる。
【０００９】
従来の外部電源からのモータ内部への電力受給用のモータ側接続端子は、ブラシホルダに直接的に保持されているために、その接続端子が受けた力がそのままブラシホルダ自体に瞬時に加わり、ブラシの位置を変えてしまったりする。従って、慣らし運転で安定したブラシの接触が確保され、その状態で製品がパスしたにもかかわらず、その慣らし運転が全く無駄となり、製品の品質にも大きく影響することを本発明者は発見した。
【００１０】
また、たとえエージングテスト後の取り外しで問題が生じなくとも、そのモータを実際の製品に取り付けるときに同様に接続端子に大きな負荷が加わり、モータの初期状態を変えてしまうということもあることがわかった。
【００１１】
さらに、特許文献４で示すような電源受給用の可撓性を有するリード線がブラシホルダに直接接続されてモータハウジングの外部へと延出させたタイプのモータであっても、そのリード線の端子と外部電源からの電源供給用の端子との抜き差しにおいて不用意にリード線に力が加わると、ブラシホルダに力が伝わり、整流子とブラシとの接触状態を変化させ、特にリード線の長さも制限されるような狭い空間にモータを組み込む必要があるような製品で使用する場合には、その危険が増すことも明らかとなった。
【課題を解決するための手段】
【００１２】
本発明者は、上記問題に鑑み、外部の電源からの電力供給端子と連結する外部電源接続端子を支持して電源からの電力受給を図る部分としてモータ電源端子接続部品をモータのブラシホルダから物理的に分離して、その問題を解決した。
【００１３】
請求項１に係る発明は、モータのヨークハウジング等のハウジングに取り付けられて外部電源からの電力をモータ内部へ伝達するためのモータ電源端子接続部品であって、そのモータの外部電源からの電力を受けるための外部電源接続端子とその外部電源接続端子を保持する不導電性の端子保持体とからなり、外部電源接続端子は、ブラシホルダに収納されるブラシへの電力を伝達するための可撓性を有する導電体に接続されており、外部電源接続端子に加わる力がブラシに実質的に伝わらないように、ブラシホルダと物理的に別体で形成されてハウジングに係止されるようにしたモータ電源端子接続部品を提供するものである。
【００１４】
このように、ブラシホルダと、外部電源接続端子を保持する端子保持体を別体に形成してモータのハウジングに取り付けられるようにし、外部電源接続端子とブラシとの間は可撓性のある導電体によって接続したことによって、互いに加わる力が干渉せず、モータ電源端子接続部品の外部電源接続端子が受ける力によって不用意に整流子へのブラシの接触状態が変えられることを防止することが可能となった。
【００１５】
請求項２に係る発明は、上記外部電源接続端子がモータのハウジングの外部から内部へと延びる少なくとも２つの導電性プレートであるモータ電源端子接続部品を提供するものであり、一般的な電源である正／負又は接地電位によるモータ・ドライブ、あるいはそれ以上の極を有する電源用のモータ・ドライブ等に対して有効である。
【００１６】
請求項３に係る発明は、さらに、上記外部電源接続端子とブラシに接続された上記導電体との間に直列に接続されたチョークコイルを含むモータ電源端子接続部品を提供するものであり、これによって、ブラシに送る電圧をモータ電源端子接続部品で安定化させたりノイズの除去を行うことが可能となる。
【００１７】
請求項４に係る発明は、さらに外部電源接続端子の異なった電位間に接続されるコンデンサを含むモータ電源端子接続部品を提供し、これによって、不要なノイズの除去を行う。
【００１８】
請求項５に係る発明は、上記したいずれかに記載のモータ電源端子接続部品を有するモータを提供するものである。
【００１９】
さらに、請求項６に係る発明は、モータの整流子に電力を伝達するブラシを保持するためのモータ内部に配設されるブラシホルダに関する発明であって、整流子の方向にブラシを摺動して整流子とそのブラシとを摺接するためにブラシを収容して所定の方向に案内するためのブラシガイド部を有している。ブラシホルダは、その中心にモータの回転軸が貫通する開口部が形成されており、ハウジングにブラシホルダを固定するための係止部を有し、さらに、モータのハウジングに取り付けられて外部電源からの電力をモータ内部へ伝達するための外部電源接続端子を保持する不導電性の端子保持体から分離する空隙が形成されており、当該外部電源接続端子に加わる力がブラシに実質的に伝わらないように、ブラシホルダと端子保持体とは物理的に別体で形成されてモータのハウジングに係止されたその端子保持体の一部が前記空隙に配置されるように構成されている。
【００２０】
外部電源接続端子を保持する端子保持体から分離したブラシホルダによって、互いに加わる力が干渉せず、外部電源接続端子を通じてモータ電源端子接続部品に受ける力がブラシホルダに影響して不用意に整流子へのブラシの接触状態を変えてしまうことを防止することができる。
【００２１】
請求項７に係る発明は、上記ブラシホルダを有するモータを提供するものである。
【００２２】
尚、接続、連結は、特に限定しない限り、直接的な接続、連結のほか、間接的な接続、連結をも含むものである。
【発明の効果】
【００２３】
モータのブラシホルダから分離した端子の保持体を設けることにより、端子に加わる力が、モータのブラシホルダに伝わることが無く、それによって、出荷製品のモータは、その最後の状態を維持しながら、ユーザに提供することが可能となり、より安定した品質を有する製品の出荷が可能となった。また、実際のユーザサイドにおいても、取り付け時の負荷によってブラシホルダの接触状態が変化することがなく、モータの特性やブラシ摺動音の悪化を回避し安定した製品を確保することが可能となった。また、モータ電源端子接続部品を別体とすることで、電気接続部に設計の自由度が増し、端子受部の形状が異なる多彩な製品に効率的に対応することが可能となる。
【図面の簡単な説明】
【００２４】
【図１】本願発明の一実施例のモータの全体斜視図である。
【図２】（ａ）は図１のモータの平面図（上面図）であり、（ｂ）は (a)のＡ−Ａ線で切断したモータの側部断面図である。
【図３】図１のモータの上部ブラケットを取り外した状態のモータの全体斜視図である。
【図４】（ａ）はモータホルダにモータが組み込まれた状態の平面図、（ｂ）は（ａ）のＡ−Ａ線で切断した側部部分断面図、（ｃ）は符号Ｂで囲った部分の拡大図である。
【図５Ａ】図３のモータ電源端子接続部品とブラシホルダがヨークハウジングに取り付けられた状態にあるブラシターミナルとブラシホルダのみを示した平面図である。
【図５Ｂ】図３のモータ電源端子接続部品とブラシホルダがヨークハウジングに取り付けられた状態にあるモータ電源端子接続部品とブラシホルダのみの下面図（底面図）である。
【図６】ブラシを備えた本発明による一実施例のモータ電源端子接続部品を示し、（ａ）はその正面図であり、（ｂ）はその側面図である。
【発明を実施するための形態】
【００２５】
以下、本願発明の一実施の形態を図を参照して説明する。
図１乃至図３を参照して、モータ１の構造を説明する。図１は、本願発明の一実施例のモータの全体斜視図であり、図２（ａ）は図１のモータの平面図、図２（ｂ）は図２（ａ）のＡ−Ａ線で切断した側部断面図であり、図３は、図１のモータ１の上部ブラケット（エンドハウジング）６を取り外した状態のモータ１の全体斜視図である。
【００２６】
モータ１は、一方に上部開口部３を有したヨークハウジング２と、そのヨークハウジング２とは互いの淵部分で嵌合してヨークハウジング２の上部開口部３を覆ってエンドハウジングを構成する上部ブラケット６（上部ブラケット６のある方向を上とする）を有している。モータ１は、上部ブラケット６とヨークハウジング２との間にモータ電源端子接続部品用側部開口部４と、略対向する２つのブラシガイド部用側部開口部５が、ヨークハウジング２と上部ブラケット６の一部を切り抜くようにして形成されている。ヨークハウジング２はさらに上部開口部３の形成するハウジングの淵から切り抜かれた複数の（本例では４つの）周辺開口部１６を有している。上部ブラケット６は、その中心にモータ回転軸１２が外部に突出可能とする開口部９を有し、さらにその周縁にヨークハウジング２の周辺開口部１６に部分的に嵌合して位置決めするための突出部１７を有している。
【００２７】
モータ１のヨークハウジング２と上部ブラケット６で形成される内部には、電機子１０が回転軸１２を中心にして回転軸１２とともに回転可能に収容されている。回転軸１２は、ヨークハウジング２の底部中心と上部ブラケット６の中心に配設された同心円状下部及び上部軸受部１３，１４により回転可能に支持されている。電機子１０を取り囲むように、複数の円周方向に分極された永久磁石１１がヨークハウジング２の内周面に周方向等間隔に配置固定されている。上部軸受部１４の軸方向隣には、回転軸１２を中心として、その回転軸１２と一体で回転する同心円状の整流子１５が配設されている。この整流子１５の周囲には、後に詳述するブラシホルダ２０のブラシガイド部２２に収納された例えば２つのブラシ３７（図５Ｂを参照）が回転軸１２の略中心方向に押圧されて整流子１５の面とブラシ３７の面とが摺接するようになっている。
【００２８】
図示しない外部電源から外部電源接続端子３１、ブラシ３７、そして整流子１５を介して電機子１０に巻装したコイル導電線に電流が供給されると、電機子１０は回転軸１２を中心にして回転駆動される。
【００２９】
モータ回転軸１２の上部軸受部１４は、上部ブラケット６がヨークハウジング２に組み合わされて固定されたときに、その上部ブラケット６の内部に嵌合する。上部軸受部１４の軸方向下方に配設される同心円状の整流子１５の外周面に摺接するブラシを収納し支持するためのブラシホルダ２０と、ブラシホルダ２０と近接してモータ電源端子接続部品３０が配設されている。このモータ電源端子接続部品３０は、外部電源からモータへと延びた電力供給端子（外部電源から直接の、または中継された電源ケーブルに接続された端子でありうる）と接続して電力を伝達するコネクタとしての機能を有している。
【００３０】
図４（ａ）は、本発明の実施形態のモータ１が組み込まれたモータホルダ４０の平面図であり、図４（ｂ）は、図４（ａ）の破線Ａ−Ａで切った部分的断面図である。図４（ｃ）には、図４（ｂ）の部分的断面図のうち符号Ｂで囲まれた部分の拡大図を示している。
【００３１】
モータホルダ４０は、モータ１の有底略筒状のヨークハウジング２をその底面及び周囲で受ける収納部４０ｂを有する。収納部４０ｂは一方が開口して、その開口入り口からモータ１を収納部４０ｂ内に収納し、収納部底辺の螺子穴４０ａとヨークハウジング２の底部に設けられた螺子穴２ａとを螺子止めしてモータ１をモータホルダ４０に固定することが可能となっている。ヨークハウジング２の内部から外部にモータ１の電力受給用の２本の外部電源接続端子３１の一部が平行して延出し、図４（ｃ）の実線Ｂで囲まれた部分的拡大図で示したように、モータホルダ４０に設けられた外部電源の電力供給端子である２つのホルダ側端子受部４１にそれぞれ嵌合して電気的な連結を図っている。ホルダ側端子受部４１は、図示しない外部電源と電気的に接続しており、外部電源接続端子３１を介してモータ１の内部に電力を供給する。
【００３２】
図５Ａは、図３で示した状態にあるモータ１のブラシホルダ２０とモータ電源端子接続部品３０のみを抽出して図示した平面図であり、図５Ｂは、その底面図である。これにより、ブラシホルダ２０とモータ電源端子接続部品３０との相互の位置関係を示すとともに、図３とともに参照してヨークハウジング２へのブラシホルダ２０の固定方法について説明する。尚、ここでは、平面図で表された方向を上部（あるいは上面）といい、底面図で表された方向を底面（あるいは下面）という。
【００３３】
ブラシホルダ２０はその外周がモータ１のヨークハウジング２の内周面に沿った周縁部２０ｂを有した絶縁体からなる。ブラシホルダ２０は、その中心に整流子１５が配置可能なように円形の開口部２１ａを有している。周縁部２０ｂには、円周外方向に突出する複数の（本例では、４つであるが、これに限定されるものではない）周辺突起部２１（図面上では破線で表示）を有している。弾性体２４に形成された穴がその周辺突起部２１に嵌合するようにして、弾性体２４がブラシホルダ２０の円周外方向に突出して取り付けられている。弾性体２４は上方から見てその外周面となる面がヨークハウジング２の外周面と略同一の湾曲を有した凸状のゴム部材であり、ヨークハウジング２の略肉厚に対応した分の高さと周辺開口部１６の幅に対応した幅を持った上部が周辺開口部１６の中へと収まり、弾性体２４の幅広の下部の外方向の面がヨークハウジング２の内側の面と互いに合わさるようにして、弾性体２４がヨークハウジング２の周辺開口部１６に嵌まり込む。しかし、ヨークハウジング２の周辺開口部１６は、嵌まり込んだ弾性体２４によって全て塞がれるのではなく、その余った開口部分に嵌まり込んだ上部ブラケット６の突出部１７とヨークハウジング２の周辺開口部１６を形成する辺とで弾性体２４を上下から押圧してブラシホルダ２０をモータ１のハウジングに固定するようにしている。
【００３４】
ブラシホルダ２０は、整流子１５の方向から半径方向外側に伸びる空洞を形成する複数（この例では、２つ）のブラシガイド部２２がホルダの上面から矩形状に盛り上がって設けられている。ブラシガイド部２２は、その底部側、整流子側、そして整流子と反対の周辺部側（径方向外側）の３つの方向に開口している。ブラシガイド部２２の周囲には複数（本例では４つ）の爪孔２１ｂがブラシホルダに形成されている。薄い金属の導電性支持板２３には、ブラシガイド部２２の周囲に爪孔２１ｂに対応して４つの係合爪２３ａが形成されており、爪孔２１ｂに通された係合爪２３ａが折り曲げられることにより、ブラシガイド部２２の底部側の開口を塞ぐように導電性支持板２３がブラシホルダの底面に固定されている。導電性支持板２３には、一方が開いたスリット２３ｂが径方向外側から中心方向へと直線状に延びて設けられている。このスリット２３ｂにはブラシ３７に接続された可撓性ある導電線３５が自由で弛んだ状態で入り、外部電源接続端子３１に外力が加わっても直接ブラシ３７にその力が伝わらないようにしてブラシガイド部２２の内部でブラシ３７が摺動可能となっている。ブラシガイド部２２の周辺縁端部分の対向した両側には外方向に向く２つのガイド突起２２ａが設けられている。ブラシガイド部２２の径方向外側の開口を塞ぐように、薄い弾力性のある金属片２５が折り曲げられてその２つのガイド突起２２ａに係止され、ブラシ３７は、その金属片２５を支点としてスプリング２６により径方向内側の整流子方向に付勢されて整流子１５の周辺面に当接するようになっている。
【００３５】
尚、上記例では、ブラシホルダ２０を上部ブラケット（エンドハウジング）６とヨークハウジング２とで挟持する構成としたが、上部ブラケット（エンドハウジング）６又はヨークハウジング２にブラシホルダ２０を弾性保持する保持部を設けて上部ブラケット（エンドハウジング）６又はヨークハウジング２のいずれかでブラシホルダ２０を係止するようにしてもよい。
【００３６】
図５Ａ、Ｂと、図６の（ａ）のモータ電源端子接続部品３０の正面図及び図６の（ｂ）の側面図を参照して、モータ電源端子接続部品３０の構造、ヨークハウジング２へのモータ電源端子接続部品３０の固定方法について説明する。
【００３７】
モータ電源端子接続部品３０は、不導電性の材料からなる、この例では樹脂で一体的に形成された端子保持体３２と、一対の外部電源接続端子３１と、外部電源接続端子３１の一端にその一端が直列に接続されたチョークコイル３３と、チョークコイル３３の他端に接続されて伸びる可撓性のある導電線３５と、その導電線３５の先に取り付けられたブラシ３７、そしてノイズ除去のために２つの外部電源接続端子３１間に接続されたコンデンサ３４とからなっている。この例では、外部電源接続端子３１は２つの電気的に導通可能な略平坦な金属性のプレートからなっているが、これに限定されるものではなく、例えば、棒状であっても良いし、或いは複数の外部電源接続端子から構成しても良い。複数の外部電源接続端子の例としては、金属性プレートをハウジング外部に延出しない短い長さとし、これに一端にモータ電源端子が連結された樹脂被覆付きのリード線の他端を連結するようにすると良い。その場合でもリード線への外力はモータ内部に伝わらないようにすることができる。この外部電源接続端子３１、チョークコイル３３、コンデンサ３４は、外部電源の電力供給端子と接続してその電力を適正にブラシ３７に伝える電気接続回路の役割に加えて雑音防止素子としてノイズ除去の役割を有しているものである。従って、そのモータ１の特性に応じて適正な電力を電源から経由させてブラシ３７に供給できるものであれば、チョークコイルやコンデンサが不要で、それぞれが連続する金属プレートのみからなる電気接続回路であったり、チョークコイル又はコンデンサのいずれかが不要な電気接続回路であったり、あるいは他の電気素子との組み合わせからなる電気接続回路でもありうる。また、この例では、２つの外部電源接続端子で説明しているが、３極によるモータ駆動やそれ以上の場合には、それに相当する数の外部電源接続端子もありうるし、その場合に対応して、外部電源接続端子に対応する数の、あるいはその一部の端子へのチョークコイルの使用や、グランド（ＧＮＤ）と他の電位間のコンデンサの接続等を行うことも可能である。
【００３８】
実施例に戻ると、一対の外部電源接続端子３１は、端子保持体３２がヨークハウジング２に取り付けられた状態にあるときに、ヨークハウジング２の内部から外部へとモータ回転軸１２の方向に対してほぼ垂直に延びた後、モータ回転軸１２方向に平行に下方にほぼ垂直に折れ曲がって端子保持体３２に形成された溝３２ｃへと通されて延出する形状となっている。
【００３９】
外部電源接続端子３１のモータ１の内部に向かう一端３１aは折り返されて、チョークコイル３３の端子の一端を挟み込むように圧接されて、チョークコイル３３と外部電源接続端子３１との電気的な導通を形成している。チョークコイル３３は、モータ電源端子接続部品３０をヨークハウジング２に取り付けた際に、回転軸１２とそのコイル３３の軸線が略平行となるように、端子保持体３２の脇に沿って配置され、端子保持体３２に一体的に形成されたチョークコイル把持部３２ｄによってそのコイルの周囲が一部分把持される。チョークコイル把持部３２ｄは弾力性を持ち、チョークコイル３３の径と同じかわずかに小さい径を有しており、その先端部は、チョークコイル３３の径よりわずかに小さく閉じているため、チョークコイル３３をその先端部から押し込むと、チョークコイル把持部３２ｄでその周囲が部分的に把持されて、端子保持体３２から容易に外れないように固定されている。
【００４０】
端子保持体３２の空洞内に設けられたコンデンサ３４の１対の各端子は、一対の外部電源接続端子３１のモータ１内部に向かう部分に設けられた孔３１ｂを通して貫通し、その孔近傍にある外部電源接続端子３１から突出して設けられたはさみ状の圧接ジョイント３１cに通されて圧接固定されて、コンデンサ３４の両端子のそれぞれが一対の外部電源接続端子３１のそれぞれに電気的に導通接続され、ノイズの除去を図っている。
【００４１】
尚、上記例では、端子保持体にコンデンサとチョークコイルが配設された構成を示したが、ブラシホルダ側にコンデンサとチョークコイル又はいずれかを配設して、端子保持体側の外部電源接続端子と可撓性のある導電線で接続するようにしてもよい。
【００４２】
図３及び図５Ａ、Ｂに戻って参照すると、ブラシホルダ２０は、モータ電源端子接続部品３０をブラシホルダ２０とは個別にモータ１内部に配設して、外部電源接続端子３１がそのモータ１から延出できるように、ブラシホルダ２０が存在しない領域が存在する。ブラシホルダ２０が配設されたモータ１の内部では、ブラシホルダ２０が存在しない領域に、モータ電源端子接続部品３０を固定して収容できる程度に十分な空間が形成されている。具体的には、ブラシホルダ２０が存在しない領域は、２つのブラシガイド部２２から離れた位置にあって複数の外周突起部２１のうちの２つの外周突起部の径方向内側に形成されたチョークコイル３３が入る空間と、そのチョークコイル３３の間の端子保持体３２とが配置可能な空隙である。そして、その空隙に対応した位置に上部ブラケット６及びヨークハウジング２に空いた空間が存在し、モータ電源端子接続部品３０を収容することが可能となっている。
【００４３】
以下に、モータ電源端子接続部品３０をヨークハウジング２に固定する構造について再度図５Ａ、Ｂ及び図６を参照して説明する。
【００４４】
ヨークハウジング２のモータ電源端子接続部品用側部開口部４を形成する上部開口部３の辺からヨークハウジング２の底部方向に垂直に延びた２つの平行の辺のそれぞれを挟み込むように、端子保持体３２の両側にそれぞれ、その垂直の辺に対応して縦長に平行に延びた２つの係止片３２ａ、３２ｂが拡大して形成されている。これによって、上部ブラケット６がはずされたヨークハウジング２の上部開口部３から、そのモータ電源端子接続部品用側部開口部４の辺をモータ電源端子接続部品３０の２つの係止片３２ａ、３２ｂで形成される溝に合わせて上方から下方にスライドさせることによって、モータ電源端子接続部品３０をヨークハウジング２に装着することができる。上部ブラケット６をヨークハウジング２に取り付けると、装着された端子保持体３２は上部ブラケット６によって上から押さえつけられて固定される。これによって、ブラシホルダ２０とは独立にモータ電源端子接続部品３０がヨークハウジング２に固定されるため、ブラシホルダ２０とモータ電源端子接続部品３０とは、力学的に自由な位置関係で固定されることとなり、たとえモータ電源端子接続部品３０に外的な力が加わっても、その力が直接ブラシホルダ２０にかかることが無く、ブラシ３７と整流子１５との接触状態を変えることがない。
【００４５】
モータ電源端子接続部品およびブラシホルダの構造について説明してきたが、これは例示であって限定されるものではない。例えば、モータホルダを使用せずに、直接モータを製品本体に固定するとともにモータ側の電源接続端子と製品本体側の端子受部とを接続するようにした製品でも効果があることは当業者であれば十分理解できるであろう。また、上記例では、モータ側の電源接続端子をオス型とし、外部電源の電力供給端子をメス型としたが、この反対でも良い。つまり、本願発明のモータ電源端子接続部品は、端子をモータハウジングの外部から内部へと案内保持して、モータ内部への電源電力の受給を可能としつつ、モータの外部から電源端子接続部品に受けるショックや力学的な負荷をブラシホルダに伝えないように、ブラシホルダとは独立した構成にしたものであることから、これを逸脱しないあらゆる態様をも本願発明は含みうることを理解すべきである。
【符号の説明】
【００４６】
１．．．モータ
２．．．ヨークハウジング
３．．．上部開口部
４．．．モータ電源端子接続部品用側部開口部
５．．．ブラシガイド部用側部開口部
６．．．上部ブラケット（エンドハウジング）
９．．．開口部
１０．．．電機子
１１．．．永久磁石
１２．．．モータ回転軸
１３．．．下部軸受部
１４．．．上部軸受部
１５．．．整流子（コンミテータ）
１６．．．周辺開口部
２０．．．ブラシホルダ
２０ｂ．．．周縁部
２１．．．周辺突起部
２１ａ．．．開口部
２１ｂ．．．爪孔
２２．．．ブラシガイド部
２２ａ．．．ガイド突起
２３．．．導電性支持板
２３ａ．．．係合爪
２３ｂ．．．スリット
２４．．．弾性体
２５．．．金属片
２６．．．スプリング
３０．．．モータ電源端子接続部品
３１．．．外部電源接続端子
３１ａ．．．外部電源接続端子の一端
３１ｂ．．．孔
３１ｃ．．．圧接ジョイント
３２．．．端子保持体
３２ａ、３２ｂ．．．係止片
３２ｃ．．．溝
３３．．．チョークコイル
３４．．．コンデンサ
３７．．．ブラシ
【図１】
2010183821.tif 000003
【図２】
2010183821.tif 000004
【図３】
2010183821.tif 000005
【図４】
2010183821.tif 000006
【図５Ａ】
2010183821.tif 000007
【図５Ｂ】
2010183821.tif 000008
【図６】
2010183821.tif 000009